(57)【特許請求の範囲】
【請求項１】
ＶＨＦ用のロッドアンテナを有する一つの本体部とＵＨＦ用のリングアンテナを有する一つのリングアンテナ部からなる室内アンテナであって、
前記リングアンテナ部は前記リングアンテナを前記本体部に接続する一つの接栓を有し、
前記本体部は前記リングアンテナ部の接栓と接続される接栓接続部及び前記ロッドアンテナと前記接栓接続部に接続された出力ケーブルを有し、
前記リングアンテナ部の接栓と前記本体部の接栓接続部が接続可能に構成されていることを特徴とする室内アンテナ。
【請求項２】
前記リングアンテナ部がフック穴を有することを特徴とする請求項１記載の室内アンテナ。
【請求項３】
前記リングアンテナ部の接栓と前記本体部の接栓接続部が中継ケーブルにより接続して使用可能な請求項１記載の室内アンテナ。
【請求項４】
前記リングアンテナ部の接栓と前記本体部の接栓接続部は直接接続して使用可能な請求項１記載の室内アンテナ 。
【発明の詳細な説明】
【技術分野】
【０００１】
本発明は、テレビジョン放送又はラジオ放送等を受信するための室内アンテナに関する。
【背景技術】
【０００２】
一般家庭で使用される室内アンテナには、ＶＨＦを受信するためのロッドアンテナと、ＵＨＦを受信するためのリング形状のアンテナが一体になっている。図７に従来の室内アンテナの形態が示されている。（ａ）は上面図、（ｂ）は前面図である。室内アンテナは筐体１００に、ＶＨＦ用のロッドアンテナ１０１とＵＨＦ用のリングアンテナ１０２が設けられている。また、筐体１００からは出力ケーブル１０４が引き出されておりテレビジョン等と接続される。
【０００３】
筐体１００には受信する放送をＶＨＦ放送、ＵＨＦ放送、ＦＭ放送から選択するロータリースイッチ用の調節ノブ１０３が設けられている。この調節ノブ１０３を選択して出力ケーブル１０４と各アンテナの接続関係を変更することにより、受信周波数との整合をとり、アンテナの指向性を変えることが可能となっている。
【０００４】
例えば、ＵＨＦを受信する時には出力をＵＨＦアンテナに接続し、ＶＨＦの中帯域を受信する時には出力をＵＨＦアンテナと右側のロッドアンテナに、あるいはＵＨＦアンテナと左側のロッドアンテナに接続し、ＶＨＦの高帯域を受信する時には出力を右側のロッドアンテナに接続し、ＶＨＦの低帯域を受信する時には出力を左右両側のロッドアンテナに接続し、ＦＭを受信する時には出力をＵＨＦアンテナ及び左右両側のロッドアンテナに接続して使用する。
室内アンテナの従来技術を示す文献として以下のものがある。
【特許文献１】実開昭５９−７３８０９号公報
【特許文献２】特開２００２−２３７７０９号公報
【発明の開示】
【発明が解決しようとする課題】
【０００５】
しかし、室内アンテナは通常卓上に載置して使用するものであるが、受信状態を改善するためアンテナを載置する場所を変更する、あるいはアンテナの向きを変更することがしばしば行われる。そのため、この種のアンテナはロッドアンテナの向きをどのように変えても安定して自立する構造とする必要があり、広い底面と充分な重さを必要としている。また載置場所の自由度を高めるため、室内アンテナを壁面等に取り付けることを可能としたものも存在する。しかし室内アンテナは安定化のために重く制作されているため、壁面等に設置したアンテナが落下しないための配慮が必要となる。
【０００６】
従来の室内アンテナはＶＨＦ用のロッドアンテナと、ＵＨＦ用のリングアンテナが一体になっている。従って、ＶＨＦ用のロッドアンテナのみあるいはＵＨＦ用のリングアンテナのみを利用する場合であっても、両者が一体となった形状で取り扱わねばならず、載置する場所あるいは方向が大きく制約される。また、ＵＨＦ用とＶＨＦ用を共に利用する場合であっても、ＵＨＦ帯とＶＨＦ帯では最良の受信状態となる位置あるいは方向は異なっている。従って、ＵＨＦ帯の放送を受信する時とＶＨＦ帯の放送を受信する時とで載置場所を変更する、あるいはアンテナの向きを変更する必要がある。テレビジョン放送が地上デジタル放送へ移行されるに伴い、ＵＨＦ帯の放送が増加する。それに伴い、ＵＨＦ用のアンテナとＶＨＦ用のアンテナが一体となった従来の室内アンテナの上記欠点は更に大きなものとなる。
【０００７】
本発明が解決しようとする課題は、ＶＨＦ用のロッドアンテナとＵＨＦ用のリングアンテナを有する室内アンテナにおいて、ＶＨＦ帯の受信とＵＨＦ帯の受信を共に良好な状態に維持すると共に、各アンテナの位置あるいは方向を頻繁に変更する必要のない構成を提供するものである。
【課題を解決するための手段】
【０００８】
本発明はＵＨＦ用のリングアンテナを有するリングアンテナ部をＶＨＦ用のロッドアンテナを有する本体部から着脱可能とし、分離されたリングアンテナ部を同軸ケーブル等のアンテナケーブルにより本体と接続する構成とするものである。また、分離されたリングアンテナ部をＵＨＦ帯の専用アンテナとして、あるいは分離された本体部をＶＨＦ帯の専用アンテナとして単独の使用が可能な構成とするものである。
【発明の効果】
【０００９】
この構成により、ＵＨＦ用のリングアンテナとＶＨＦ用のロッドアンテナは、相互に影響されることなく、各々独立に最良の受信状態となる位置と方向を選択することが可能となる。また、リングアンテナ部に壁掛け用のフック穴を設けることにより、ＶＨＦ用のロッドアンテナを有する本体部を、ＶＨＦ帯を安定して受信可能な卓上に載置しつつ、本体部から分離したリングアンテナ部は、壁に掛け、ＵＨＦ帯の受信に良好な状態で使用することが可能となる。また、ＵＨＦ用のリングアンテナ部のみ、あるいはＶＨＦ用のロッドアンテナ部のみをテレビジョンに接続して使用することが可能であり、ＵＨＦ帯あるいはＶＨＦ帯の専用室内アンテナとして利用可能である。
【発明を実施するための最良の形態】
【００１０】
図１−１及び図１−２は本発明に係る室内アンテナの一実施の形態を示す図であり、図１−１（ａ）は上面図、図１−２の（ｂ）（ｃ）（ｄ）は各々、前面図、側面図、背面図である。同図はＵＨＦ用のリングアンテナ部をＶＨＦ用のロッドアンテナを有する本体部に結合した状態を示している。図２にリングアンテナ部の詳細が、また、図３に本体部の詳細が示されている。
【００１１】
本体部を構成する合成樹脂製の筐体１６には、テレビジョンの上などに安定して載置するための脚部１５を有している。筐体１６の後方に２本のＶＨＦ用ロッドアンテナ１２が設けられている。また、筐体１６の前部にＵＨＦ用のリングアンテナ部１０が着脱自在に取り付けられている。筐体１６内には、リングアンテナ部１０が筐体１６前部の所定位置に搭載された時、リングアンテナ部１０を固定するロック機構が設けられている。筐体１６の前面には、リングアンテナ部１０を筐体に搭載する時、或いは、リングアンテナ部１０を筐体から分離する時に、前記ロック機構を解除するロック用レバー１９が設けられている。
【００１２】
筐体１６の後方からテレビジョンに接続される出力ケーブル１３が引き出されている。筐体１６には、ＶＨＦ用ロッドアンテナ１２及びＵＨＦ用リングアンテナと出力ケーブル１３との間を、例えば図８に示される規則に従って接続するロータリースイッチが設けられており、そのロータリースイッチを回転させる調節ノブ１８が筐体１６の外部に設けられている。
【００１３】
リングアンテナ部１０は、筐体１６と同様合成樹脂製であり、ＵＨＦ帯用のリングアンテナが裏面に設けられているか、或いは、内部に封印されている。リングアンテナ部１０の裏面下部にはＦ型接栓（コネクタ）２３が設けられている。このＦ型接栓２３は、リングアンテナ部１０を筐体１６前方のリングアンテナ部搭載台２７（図３の２７）に搭載した時、搭載台２７に設けられているＦ型接栓接続部（コネクタ接続部）２５（図３の２５）と接続される。
リングアンテナ部１０の背面には、リングアンテナ部１０を壁等に掛けるためのフック穴２４が設けられている。
【００１４】
図２に示されるリングアンテナ部１０は、リングアンテナを受信帯域の広い双ループ素子で構成したものである。また、無給電素子２１は、特願２００５−１１３４６１号に記載されるように、リングアンテナの給電点を中心に、リングアンテナの素子に近接して配置された素子であり、リングアンテナの周波数特性を改善し広帯域化するものである。しかし、本発明はリングアンテナの構成、あるいは無給電素子等の付加的構成の有無に関わりなく、リング状のアンテナ一般に適用し得るものである。
【００１５】
図３は本実施例に係る室内アンテナの本体部の詳細図である。本体部は筐体脚部１５と筐体１６からなる。筐体脚部１５はアンテナをテレビジョンの上などに載置した時、安定して使用するためのものである。筐体１６には、リングアンテナ部１０をロックし固定するロック機構と、リングアンテナ部１０及びロッドアンテナ１２と出力ケーブル１３の間の接続を切り替えるロータリースイッチを内在している。また、筐体１６には、ロック機構を解除するロック用レバー１９と、前記ロータリースイッチを切り替えるためのロータリースイッチ用調節ノブ１８が取り付けられている。筐体１６の後方には２本のＶＨＦ用のロッドアンテナ１２が設けられており、筐体内で前記ロータリースイッチに接続されている。
【００１６】
筐体１６の前部はリングアンテナ部１０を搭載するリングアンテナ部搭載台２７となっている。搭載台２７はリングアンテナ部１０に設けられているＦ型接栓２３（図２の２３）と接続されるＦ型接栓接続部２５を有している。また、Ｆ型接栓接続部２５は筐体内で前記ロータリースイッチに接続されている。
【００１７】
リングアンテナ部１０を本体部と一体とするためには、リングアンテナ部１０のＦ型接栓２３のジャックを搭載台２７のＦ型接栓接続部２５のジャック受けプラグに挿入し、リングアンテナ部１０の底面を搭載台２７に密着させる。この状態で、アンテナ部１０は筐体１６内の前記ロック機構により本体部にロックされ固定される。この状態でリングアンテナ部１０と本体部は一体となり、ＵＨＦ用のリングアンテナとＶＨＦ用のロッドアンテナを有する従来の室内アンテナと同様の利用形態が可能となる。
【００１８】
本体の筐体１６の前面に設けられているロック用レバー１９を操作し、前記ロックを解除することにより、本体部からリングアンテナ部１０を分離することが可能である。本体部から分離されたリングアンテナ部１０は、中継ケーブルにより本体部に接続される。図４に本体の筐体とＵＨＦ用リングアンテナ部を中継ケーブルにより接続して使用する状態が示されている。本体部から分離されたリングアンテナ部１０は、背面に設けられているフック穴２４（図２）を例えば壁等のフックに掛けて使用する。分離されたリングアンテナ部１０と本体部は中継ケーブル３０により接続され、筐体内のロータリースイッチ及び本体から引き出される出力ケーブル１３を介してテレビジョン等のアンテナ端子に接続される。
【００１９】
ＵＨＦ用のリングアンテナ部１０は、目的とするＵＨＦ帯のテレビジョン放送を受信するのに最適となる位置と向きを選択し壁等に掛けられる。ＶＨＦ用のロッドアンテナ１２を有する本体は、例えばテレビジョンの上に置かれ、目的とするＶＨＦ帯のテレビジョン放送の受信に最適となるように２本のロッドアンテナの向きと長さが調節される。このように、リングアンテナ部１０とロッドアンテナ１２は、設置位置および向きを自由に選択し変更することが可能となる。また、両アンテナは距離を置いて設置されるため、相互に干渉して受信に悪影響を与えることがない。
【００２０】
図５は、リングアンテナ部１０と本体部の筐体１６を接続する中継ケーブル３０の一例を示している。リングアンテナ部１０に接続される中継ケーブル３０の端部にはプラグ３２が取り付けられており、リングアンテナ部の背面に設けられているＦ型接栓２３（図２）のジャック３１と結合される。筐体１６に接続される中継ケーブル３０の端部にはジャック３４を有するジャック付きプラグ３３が取り付けられており、筐体１６のリングアンテナ部搭載台２７の中央に設けられているＦ型接栓接続部２５（図３（ａ））に接続される。
【００２１】
図６は中継ケーブル３０の他の接続の例を示すものである。図５に示される形態は、中継ケーブルの一端をジャックとし、他端をジャックに結合するプラグとしたものである。これに対して、図６に示される中継ケーブル３０はケーブルの両端をジャックに結合するプラグとしている。リングアンテナ部１０との結合は図５のケーブルと同様、リングアンテナ部１０の背面に設けられているジャック３１をプラグに挿入して直接結合する。これに対して、筐体１６のＦ型接栓接続部２５とは中継ジャック３６を介して結合される。この形式では、中継ケーブルの両端の形状が同じとなり、ケーブルの汎用性が高くなり、作業が容易となる。
【００２２】
上記の例ではリングアンテナ部の背面にフック穴２４を設け、壁等のフックに掛ける構成である。しかし、リングアンテナ部の背部に、通常は背面に沿うように格納し、必要時に垂直方向あるいは水平方向に回動させるスタンドを設け、リングアンテナ部を本体から分離して使用する際、前記スタンドを回動させることによりリングアンテナ部を自立可能とする構成が可能である。この構成によるリングアンテナ部１０は、本体から分離しテレビジョン等の上で自立した状態で使用する。
また、ＵＨＦ帯のみを受信する場合は、リングアンテナ部を本体部から分離し、裏面のＦ型接栓２３とテレビジョンのアンテナ端子をアンテナケーブルにより直接接続して使用することが可能である。この使用形態では本体部を必要とせず、利便性が更に向上する。壁に掛け、あるいは卓上で使用するリングアンテナ部は室内装飾品としての利用が可能である。
【産業上の利用可能性】
【００２３】
本発明によれば、ＶＨＦ用のロッドアンテナとＵＨＦ用のリングアンテナを分離可能としたことにより、ＶＨＦ用のロッドアンテナはＶＨＦ帯の受信に適した位置と向きを、ＵＨＦ用のリングアンテナはＵＨＦ帯の受信に適した位置と向きを、相互に影響されることなく決めることが可能となる。また、ＶＨＦ用のロッドアンテナとＵＨＦ用のリングアンテナを離して設置することにより、両者の干渉がなくなり、電波の受信効率が良くなる。
【図面の簡単な説明】
【００２４】
【図１−１】本発明に係る室内アンテナの上面図
【図１−２】本発明に係る室内アンテナの前面、側面、背面図
【図２】本発明に係る室内アンテナのリングアンテナ部の図
【図３】本発明に係る室内アンテナの本体部の図
【図４】本発明に係る室内アンテナのリングアンテナ部と本体部の接続図
【図５】本発明に係る室内アンテナのリングアンテナ部と本体部を接続する第１の形態図
【図６】本発明に係る室内アンテナのリングアンテナ部と本体部の接続する第２の形態図
【図７】従来の室内アンテナの図
【図８】ロッドアンテナ及びＵＨＦアンテナと出力ケーブルの接続図
【図１−１】
0004457052.tif 000002
【図１−２】
0004457052.tif 000003
【図２】
0004457052.tif 000004
【図３】
0004457052.tif 000005
【図４】
0004457052.tif 000006
【図５】
0004457052.tif 000007
【図６】
0004457052.tif 000008
【図７】
0004457052.tif 000009
【図８】
0004457052.tif 000010